(57)【要約】【課題】人体の首回りに確実に送風することができるとともに、使用状態においても人体の動作の妨げになることのない人体用送風装置を提供する。【解決手段】人体の首１ａの周囲に沿って延びるように形成された通風部材１１から人体の首１ａに向かって空気を吐出するようにしたので、首回りに確実に送風することができ、例えば車椅子使用者のように長時間着座した姿勢で体を動かさない場合でも、首回りの蒸れや発汗を効果的に防止することができる。更に、首回りに配置されるので、使用状態においても人体の動作の妨げになることがなく、日常生活において不便を来すことがないという利点もある。【選択図】図１
2008286014.tif 000002
【特許請求の範囲】
【請求項１】
人体の首回りに空気を送風する人体用送風装置において、
人体の首の周囲に沿って延びるように形成され、内部に空気を流通可能な通風部材と、
通風部材内に外部の空気を送り込む送風ファンとを備え、
通風部材には人体の首に向かって空気を吐出する複数の空気吐出孔を互いに通風部材の長手方向に間隔をおいて設けた
ことを特徴とする人体用送風装置。
【請求項２】
前記通風部材を長手方向両端が閉鎖されたチューブ状の部材によって形成し、その長手方向両端間に人体の首を挿通可能に形成した
ことを特徴とする請求項１記載の人体用送風装置。
【請求項３】
前記通風部材の長手方向両側をそれぞれ下方に凹状をなすように形成した
ことを特徴とする請求項２記載の人体用送風装置。
【請求項４】
前記通風部材を曲げ変形可能に形成した
ことを特徴とする請求項１、２または３記載の人体用送風装置。
【請求項５】
前記送風ファンを通風部材の長手方向中央側から長手方向両端側に向かって空気が流通するように設けた
ことを特徴とする請求項１、２、３または４記載の人体用送風装置。
【発明の詳細な説明】
【技術分野】
【０００１】
本発明は、例えば車椅子使用者に用いられ、人体の首回りに空気を送風する人体用送風装置に関するものである。
【背景技術】
【０００２】
一般に、人体の首回りは汗をかきやすく、特に車椅子使用者のように長時間着座した姿勢で体を動かさないと、首回りが蒸れて不快感を生ずる場合が多い。そこで、従来では、小型の扇風機に紐を取付け、扇風機を首から吊り下げて顔などに向けて送風することにより、個人専用の扇風機として使用できるようにしたものが知られている（例えば、特許文献１参照。）。
【特許文献１】実用新案登録第３０８０１３７号公報
【発明の開示】
【発明が解決しようとする課題】
【０００３】
しかしながら、前述のように首から吊り下げて使用する扇風機では、顔の近辺に向けて送風されるにすぎないため、首回りに確実に送風することができず、首回りの発汗を抑制するには十分な効果を期待することができなかった。また、小型の扇風機とはいえ、首から吊り下げて使用するため、人体の動作の妨げになりやすく、更には人体の動きによって送風機の向きが変わり、送風方向が不安定になりやすいという問題点があった。
【０００４】
本発明は前記問題点に鑑みてなされたものであり、その目的とするところは、人体の首回りに確実に送風することができるとともに、使用状態においても人体の動作の妨げになることのない人体用送風装置を提供することにある。
【課題を解決するための手段】
【０００５】
本発明は前記目的を達成するために、人体の首回りに空気を送風する人体用送風装置において、人体の首の周囲に沿って延びるように形成され、内部に空気を流通可能な通風部材と、通風部材内に外部の空気を送り込む送風ファンとを備え、通風部材には人体の首に向かって空気を吐出する複数の空気吐出孔を互いに通風部材の長手方向に間隔をおいて設けている。
【０００６】
これにより、人体の首の周囲に沿って延びる通風部材から人体の首に向かって空気が吐出されることから、首回りに確実に送風することができ、首回りに配置されるため、使用状態においても人体の動作の妨げになることがない。
【発明の効果】
【０００７】
本発明によれば、人体の首回りに確実に送風することができるので、例えば車椅子使用者のように長時間着座した姿勢で体を動かさない場合でも、首回りの蒸れや発汗を効果的に防止することができる。また、首回りに配置されるので、使用状態においても人体の動作の妨げになることがなく、日常生活において不便を来すことがないという利点もある。
【発明を実施するための最良の形態】
【０００８】
図１乃至図５は本発明の一実施形態を示すもので、図１は人体用送風装置の平面図、図２はその側面図、図３は通風部材の部分側面断面図、図４は人体用送風装置の変形動作を示す平面図、図５は人体用送風装置を使用した車椅子使用者の側面図である。
【０００９】
この人体用送風装置は、人体Ａの首１ａの周囲に配置可能に形成され、例えば車椅子２に着座する人体Ａの首回りに空気を送風するものである。
【００１０】
同図に示す人体用送風装置１０は、内部に空気を流通可能な通風部材１１と、通風部材１１内に外部の空気を送り込むファンユニット１２と、ファンユニット１２を駆動する電源ユニット１３とから構成され、通風部材１１は人体１の首１ａの周囲に沿って延びるように形成されている。
【００１１】
通風部材１１は両端を閉鎖したチューブ状の部材からなり、その長手方向中央にはファンユニット１２が取付けられている。通風部材１１は曲げ変形可能に形成され、略Ｃ字状に曲げられた状態で使用される。この場合、通風部材１１の長手方向両側は、それぞれ下方に凹状に湾曲するように曲げられている。即ち、通風部材１１は、塑性変形可能な金属等からなる螺旋状部材１１ａと、螺旋状部材１１ａを覆う合成樹脂等の薄膜状部材１１ｂとからなり、螺旋状部材１１ａの塑性変形により曲げ変形可能であるとともに、変形後の形状を保持できるようになっている。また、通風部材１１には複数の空気吐出孔１１ｃが互いに通風部材１１の長手方向に間隔をおいて設けられ、各空気吐出孔１１ｃは通風部材１１のＣ字形状の内側に配置されている。
【００１２】
ファンユニット１２は、軸方向両端を開口した円筒状のユニット本体１２ａと、ユニット本体１２ａ内に設けられた送風ファン１２ｂと、送風ファン１２ｂを回転させるモータ１２ｃとからなり、ユニット本体１２ａの一端から外部の空気を吸入し、他端に接続された通風部材１１内に空気を吐出するようになっている。この場合、ファンユニット１２は通風部材１１の長手方向中央に接続され、通風部材１１の長手方向中央側から長手方向両端側に向かって空気を流通するようになっている。
【００１３】
電源ユニット１３は、図示しない乾電池または充電池を有し、ケーブル１３ａを介してファンユニット１２のモータ１２ｃに接続されている。即ち、電源ユニット１３は、図示しないスイッチをオンにすると、乾電池または充電池の電力をモータ１３ｃに供給するようになっている。
【００１４】
以上のように構成された人体用送風装置１０は、図５に示すように人体１の首１ａの周囲に配置され、首１ａに係止するように保持されて使用される。この場合、図４に示すように通風部材１１の長手方向両側を首１ａが挿通可能となるように幅方向外側に変形させ、首１ａを挿通させた後に通風部材１１の長手方向両側を幅方向内側に変形させることにより、首１ａの周囲に保持される。また、通風部材１１の長手方向両側が下方に凹状に湾曲していることから、人体１の肩の上面に沿うように載置される。ここで、電源ユニット１３のスイッチをオンにしてファンユニット１２のモータ１２ｃを駆動すると、送風ファン１２ｂによって外部の空気が通風部材１１内に吸入され、通風部材１１の各空気吐出孔１１ｃから空気が吐出する。これにより、通風部材１１の空気が人体１の首１ａに向かって吐出され、人体１の首回りに空気が送風される。
【００１５】
このように、本実施形態の人体用送風装置１０によれば、人体１の首１ａの周囲に沿って延びるように形成された通風部材１１から人体１の首１ａに向かって空気を吐出するようにしたので、首回りに確実に送風することができ、例えば車椅子使用者のように長時間着座した姿勢で体を動かさない場合でも、首回りの蒸れや発汗を効果的に防止することができる。更に、人体用送風装置１０は首回りに配置されるので、使用状態においても人体１の動作の妨げになることがなく、日常生活において不便を来すことがないという利点もある。
【００１６】
また、通風部材１１を長手方向両端が閉鎖されたチューブ状の部材によって形成し、その長手方向両端間に人体１の首１ａを挿通可能に形成したので、人体１の首１ａへの着脱を容易に行うことができる。
【００１７】
この場合、通風部材１１の長手方向両側をそれぞれ下方に凹状をなすように形成したので、人体１の肩の上面に沿うように載置することができ、人体１に安定した状態で保持することができる。
【００１８】
また、通風部材１１を曲げ変形可能に形成したので、例えば着脱時に通風部材１１を変形させることにより首１ａへの着脱作業を容易に行うことができ、或いは体型等に合わせて変形させることにより送風の位置や向きを適正に調整することも可能である。
【００１９】
更に、送風ファン１２ｂを通風部材１１の長手方向中央に設け、通風部材１１の長手方向中央側から長手方向両端側に向かって空気が流通するようにしたので、通風部材１１の両側から空気を均一な風量で吐出させることができ、首回りに満遍なく送風することができる。
【００２０】
尚、前記実施形態では、人体用送風装置１０を車椅子使用者が用いる場合を例示したが、車椅子使用者に限られることはなく、例えば事務作業者、乗り物の搭乗者、就寝時の人体など、各種の用途に用いることができる。
【図面の簡単な説明】
【００２１】
【図１】本発明の一実施形態を示す人体用送風装置の平面図
【図２】人体用送風装置の側面図
【図３】通風部材の部分側面断面図
【図４】人体用送風装置の変形動作を示す平面図
【図５】人体用送風装置を使用した車椅子使用者の側面図
【符号の説明】
【００２２】
１…人体、１ａ…首、１０…人体用送風装置、１１…通風部材、１１ｃ…空気吐出孔、１２ｂ…送風ファン。
【図１】
2008286014.tif 000003
【図２】
2008286014.tif 000004
【図３】
2008286014.tif 000005
【図４】
2008286014.tif 000006
【図５】
2008286014.tif 000007